(57)【要約】【課題】  浴室内で良好に泡を発生させることができ、しかも安価で掃除が容易な浴室設備を提供する。【解決手段】  内部に噴気部１６が設けられるとともに、この噴気部１６にエアーを導く吸気口を備えた小容器１１と、この小容器１１とは別体の、エアーポンプ６と、エアーポンプ用の操作スイッチ１０と電源と、エアーポンプ６からの送気を小容器１１の吸気口に導くように、小容器１１の吸気口を接続可能なエアー接続部８を備えたカウンター４、または浴槽２、または壁パネルとで構成される浴室設備。【選択図】  図１
2005168849.tif 000002
【特許請求の範囲】
【請求項１】
内部に噴気部が設けられるとともに、該噴気部にエアーを導く吸気口を備えた小容器と、
該小容器とは別体の、エアーポンプと、該エアーポンプ用の操作スイッチと電源と、
前記エアーポンプからの送気を前記小容器の吸気口に導くように、該小容器の吸気口を接続可能なエアー接続部を備えた浴室カウンター、または浴槽、または壁パネルとで構成される浴室設備。
【請求項２】
前記小容器には、開口部を蓋体で塞いだ状態でも、該小容器内からエアー及び泡が外部に噴出される噴出口が形成されていることを特徴とする請求項１に記載の浴室設備。
【発明の詳細な説明】
【技術分野】
【０００１】
本発明は、浴室内で良好に泡を作り、使用することのできる、浴室カウンターまたは浴槽または壁パネルで構成される浴室設備に関するものである。
【背景技術】
【０００２】
従来、例えば特許文献１に開示されているように、浴室内の浴槽に泡を溜めることのできる装置が存在する。
【特許文献１】特開２００３−１１６７３０号公報
【発明の開示】
【発明が解決しようとする課題】
【０００３】
従来の浴槽に泡を溜める装置では、泡発生部から泡搬送管を通して、浴槽に泡を送り込む構成であり、泡発生部は手入れのし難い隠蔽された場所に設置され、日常的なメンテナンスができず、洗剤による詰まり等の不具合が発生する可能性が高いという問題点があった。
また、上記装置は浴槽に泡を溜めるための専用品であり、他の用途に使用することは容易でないという問題点があった。
【課題を解決するための手段】
【０００４】
本発明は上記従来の問題点に鑑み案出したものであって、掃除等が容易で詰まることがなく、浴室内で洗顔等の他の目的にも泡を良好に使用することのできる浴室設備を提供せんとするものであり、請求項１は、内部に噴気部が設けられるとともに、該噴気部にエアーを導く吸気口を備えた小容器と、該小容器とは別体の、エアーポンプと、該エアーポンプ用の操作スイッチと電源と、前記エアーポンプからの送気を前記小容器の吸気口に導くように、該小容器の吸気口を接続可能なエアー接続部を備えた浴室カウンター、または浴槽、または壁パネルとで構成されることである。
【０００５】
また、請求項２は、前記小容器には、開口部を蓋体で塞いだ状態でも、該小容器内からエアー及び泡が外部に噴出される噴出口が形成されていることである。
【発明の効果】
【０００６】
本発明は、内部の噴気部にエアーを導く吸気口が設けられた小容器と、小容器とは別体のエアーポンプが設けられ、エアーポンプからの送気を小容器の吸気口に導くように、小容器の吸気口を接続可能なエアー接続部が、浴室カウンター、または浴槽、または壁パネルに備えられていることにより、小容器にはエアーポンプ等の電気部材が含まれていないため、小容器を容易に清掃することができ、詰まり等のない状態に維持して、小容器内で泡を良好に発生させて、この泡を洗顔等に使用することも、また浴槽内に入れて使用することもでき、浴室内で泡を種々の目的に有効に使用することができるものとなる。
また、小容器は安価に形成させることができるため、複数の小容器を用意して、洗い場側にも、また浴槽側にも設けておくことができるものである。
また、エアーポンプ等は浴室の外側に配置させることができ、浴室内での騒音を低減させることができるものとなる。
また、小容器はカウンターまたは浴槽または壁パネルに設けられたエアー接続部に接続して良好に内部にエアーを導き、内部で泡を良好に発生させることができ、浴室内のいろいろな場所で泡を発生させて使用できるものとなる。
【０００７】
また、小容器には、開口部を蓋体で塞いだ状態でも、小容器内からエアー及び泡が外部に噴出される噴出口が形成されていることにより、噴出口が蓋体で狭められることで、発泡した泡が細かい泡となり噴出口から噴出され、キメの細かい泡を用いて良好に洗顔等を行うことができるものとなる。
【実施例】
【０００８】
以下、本発明の実施例を図面に基づいて説明する。
図１は、浴室の概略構成図である。
図において、浴室１には浴槽２が設けられ、洗い場３側の壁面には、前板４ａを備えたカウンター４が設置されており、カウンター４の上方には水栓５が設置されている。
また、浴室の天井裏にはエアーポンプ６が設置されており、このエアーポンプ６からエアー流路７が配管され、エアー流路７はカウンター側流路７ａと浴槽側流路７ｂに分かれて、それぞれ壁裏を通してカウンター４及び浴槽２の上部のエアー接続部８，８に連通されている。
【０００９】
また、エアーポンプ６から信号線９が引き出されて、カウンターの前板４ａに設けられたスイッチ１０に接続されている。
本例では、カウンター４側に設けたエアー接続部８、及び、浴槽２側に設けたエアー接続部８の何れか、または両方に、小容器１１を接続して、小容器１１内で泡を発生させることができるように構成されている。
【００１０】
小容器１１は、図２の斜視図で、また図３の縦断面構成図で示すような構造となっている。
即ち、小容器１１は、容器本体１２と、この容器本体１２の上面開口を蓋することのできる蓋１３で構成され、蓋１３はヒンジ１８を介し開閉できるものとなっており、蓋１３の前端側には、指を入れて引掛けることのできる手掛け孔１３ａが上下に貫通形成されている。
この手掛け孔１３ａの内周に吸気口１４が開口されており、吸気口１４から蓋１３内にエアー流路１５が形成され、このエアー流路１５は更に容器本体１２の後部壁面内を通して、容器本体１２の底側後部に設けた噴気部１６に連通されたものとなっている。なお、噴気部１６は多孔石等の発泡部材で構成されている。
【００１１】
また、容器本体１２の底には、排水用の排水口１２ａが貫通形成されており、この排水口１２ａには排水栓１７が着脱可能に設けられている。
また、容器本体１２の後面壁の中ほどの高さ位置には、後方側へ貫通して水抜孔１２ｂが形成されており、この水抜孔１２ｂの裏側には、水抜孔１２ｂの外周を取り巻くパッキン１９が設けられている。
【００１２】
一方、前記カウンター４には、図４の斜視図で示すように、中央部に上下に貫通して切欠部４ｂが形成されており、切欠部４ｂの左右両端には、段部４ｃ，４ｃが形成されている。
この段部４ｃ，４ｃ上に、図５に示すように、容器本体１２の上面外周に形成された鍔部１２ｃ，１２ｃを載せて、カウンター４の切欠部４ｂ内に小容器１１を着脱可能に設置できるように構成されている。
なお、蓋１３を閉めた状態では、蓋１３の上面とカウンター４が面一状となるように設定されており、蓋１３の上面に、洗面器やボディシャンプー等を良好に置いて使用できるものである。
【００１３】
図８は、カウンター４に小容器１１を設置し、また、浴槽２側にも別の小容器１１を設置して使用している状態図である。
また、図７は、カウンター４に設置した小容器１１の蓋１３を開けて、容器本体１２内で泡を発生させている状態図である。
なお、カウンター４の前板４ａ及び浴槽２側の壁パネル２０に取り付けられているエアー接続部８は、例えば図６に拡大して示すような構造となっている。
【００１４】
エアー流路７ａまたは７ｂに接続されて、浴室内に略水平に突出する突出管部８ａの上面に、立ち上げ状にエアー接続部８が形成されており、エアー接続部８の外周にはパッキン８ｂが設けられている。
このような突出管部８ａに対し、小容器の蓋１３を立ち上げて、手掛け孔１３ａ内に突出管部８ａを差し込んだ状態とした時には、手掛け孔１３ａの内周に形成されている吸気口１４がエアー接続部８に整合されて接続状態となるように設定されている。
このように、蓋１３を開けることで、エアー接続口８に吸気口１４が接続され、この状態でスイッチ１０を押すことにより、天井裏のエアーポンプ６が作動し、エアーポンプ６からエアー流路７ａ，７ｂを通してエアー接続部８に送気され、吸気口１４からエアー流路１５を通って、エアーが噴気部１６から噴出されるものである。
【００１５】
予め、容器本体１２内に、お湯とボディシャンプー等の液体洗剤を入れておくと、噴気部１６からのエアーの噴出により、容器本体１２内で良好に泡が発生され、発生された泡は、容器本体１２の上面開口から漏れ出してくるため、この泡を良好に使用することができる。
例えば、洗い場３側では、泡を洗顔や洗髪用に使用することができ、また掃除をする際にも使用することができるものである。
また、浴槽２側で使用する場合には、容器本体１２から溢れた泡が徐々に浴槽２内に流れ込んで、浴槽２内に良好に泡を溜めることができるものとなる。
【００１６】
なお、図３に示すように、容器本体１２の水抜き孔１２ｂは、適当な高さ位置に貫通形成されているため、容器本体１２内にお湯を入れた時に、所定量以上のお湯は、この水抜き孔１２ｂから流れ出すため、適量の湯を容器本体１２内に溜めることができて、良好に泡を発生させることができるものである。
なお、容器本体１２の背面を、カウンターの前板４ａや壁パネル２０に当接させると、パッキン１９が前板４ａまたは壁パネル２０に当接して、水抜き孔１２ｂからの泡の逃げを良好に防ぐことができ、発生された泡は良好に容器本体１２の上面側から溢れて前方へ流れ出ることとなる。
【００１７】
このように、小容器１１を使用する場合には、蓋１３を開けてワンタッチで吸気口１４をエアー接続部８に接続して、泡を発生させることができ、泡を容易に浴室内で発生させることができるものとなる。
また、小容器１１は電気部材を全く含んでいないために、容易に取り外して清掃することができ、内部のエアー流路１５等の詰まりを防ぐことができる。
また、小容器１１は安価に形成させることができるため、複数用意しておき、カウンター４側及び浴槽２側に同時に設置して使用することもできるものである。
また、エアーポンプ６は天井裏に設けられているため、浴室内の騒音は少ないものとなる。
【００１８】
次に、図９は、小容器１１の変形例を示すものである。
図９の小容器１１は、容器本体１２の上面前端に前方側へ突出状に噴出口１２ｄが形成されたものであり、蓋１３を閉じて容器本体１２の上面を覆蓋した状態でも、この噴出口１２ｄは開いた状態に維持されるように構成されている。
また、容器本体１２の底側に設けた噴気部１６には、エアー流路を構成するホース１５が接続されており、ホース１５の先端に、吸気口１４を構成するワンタッチ接続の接続カプラが設けられており、この接続カプラを壁パネル１２に設けたエアー接続部８にワンタッチで着脱できるように構成したものである。
【００１９】
図１０は、カウンター４に面一状に小容器１１を設置した斜視構成図である。
なお、更には図１１の分解斜視図で示すように、カウンター４側に開閉可能に蓋１３を設けておくこともできるものである。
なお、図９中で２１は取付部である。
このような構成では、蓋１３を閉じた状態で容器本体１２内で泡を発生させると、泡は蓋１３によって狭められながら、細かい泡となって噴出口１２ｄから流出することとなり、キメの細かい泡を噴出口１２ｄから流出させることができ、洗い場等においてキメの細かい肌に優しい泡により洗顔等を良好に行うことができるものとなる。
【００２０】
なお、更には図１２に示すように、浴槽２側の壁パネル２０にもエアー接続部８を設けておき、このエアー接続部８にカプラ式の吸気口１４をワンタッチで接続して、容器本体１２内で泡を発生させ、浴槽２内に泡を良好に流し込むことができるものとなる。
なお、容器本体１２の底下部に置き台部２２を設けておくと、置き台部２２を介して良好に容器本体１２を置くことができるものとなる。
【００２１】
なお、図１３では、浴槽２に設けたエアー接続部８に小容器１１を接続して、浴槽２内に泡を流入させている状態図であり、この浴槽２は、その底側に気泡を発生させることのできる複数の気泡発生部２５，２５，２５，２５，２５が設けられたものである。
図１４に示すように、複数の気泡発生部２５，２５，２５，２５，２５は、それぞれ気泡配管２６で連通されており、気泡配管２６には天井裏等に設けたエアーポンプからのエアーがエアー流路７を通して供給されるように配管されているが、分岐部２６ａが設けられており、この分岐部２６ａから分岐した配管がエアー接続部８に接続されたものとなっている。
【００２２】
従って、浴槽の底側からエアーが複数の気泡発生部２５から噴出されるとともに、一部のエアーはエアー接続部８から小容器１１内の噴気部１６に供給されて、小容器１１内で良好に泡を発生させることができ、図１５に示すように、浴槽２内の下部部位には湯２８を溜めておき、その上面に泡２９を流入させて、湯２８の上面を泡２９で覆った状態にして、図１６に示すような状態で入浴することができるものとなる。
なお、このような入浴状態では、腰から下は湯２８により温められるとともに、上半身は水没しないために水圧による息苦しさを受けることなく、また泡２９により上半身は包まれるために、上半身が寒くなることもなく、身体に優しい入浴状態を得ることができる。
【００２３】
また、図１５に示すように、浴槽２に水中照明発光部２７，２７が設けられているような場合には、泡２９が蓋となって浴槽２内への浴室内照明光の入光が低減され、ある程度明るい環境でも、泡２９を通して水中照明発光部２７からの水中照明の色が認識でき、効果的な水中照明が得られるものとなる。
【００２４】
なお、図１７は、別形状の小容器を浴槽に設けた場合を示している。
なお、浴槽の底側には、複数の気泡発生部２５が設けられており、図１８に示すように、複数の気泡発生部２５は気泡配管２６に連通され、気泡配管２６は、天井裏のエアーポンプとエアー流路７で連通されているが、途中に切替バルブ３１が設けられており、この切替バルブ３１を、図１９に示すように、突出管部８ａの上端に設けた切替ハンドル部８ｃで切り替え操作できるように構成されている。
即ち、切替ハンドル部８ｃを操作することにより、気泡発生部２５から気泡を発生させる場合と、突出管部８ａに設けたエアー接続部８からエアーを噴出させる場合とを切り替えできるように構成されている。
【００２５】
このエアー接続部８には、カプラ式の吸気口１４をワンタッチで着脱させることができ、吸気口１４を接続して、ホース１５を通して小容器１１内にエアーを導くことができ、小容器１１内でエアーにより良好に泡を発生させることができるものである。
なお、図１７に示した小容器１１は、前方側へ突出状に２個の噴出口１２ｄ，１２ｄが形成されており、上面側には、手で持ち運びできるように吊り下げバー３０が設けられたものである。
【００２６】
このような小容器１１では、図２０で示すように、２個の噴出口１２ｄ，１２ｄから、それぞれ泡を浴槽２内に流入させて泡風呂とすることができ、人の頭を一対の噴出口１２ｄ，１２ｄ間に置いて、小容器１１に頭をもたれかけて入浴できるものである。
なお、このような小容器１１は、図２１で底面図を示すように、小容器１１の底側の左右には、切欠状にホース出入り口１２ｅ，１２ｅが形成されており、このホース出入り口１２ｅ，１２ｅからホース１５を引き出すことができるものであり、ホース１５の先端には噴気部１６が接続されている。
なお、図２２の底面図で示すものは、ホース１５及び吸気口１４を小容器１１の底部内に収納させた状態図である。
【００２７】
更に小容器１１は、図２３で示すような形状に変形しても良い。
図２３の小容器１１は、上面側に一対の噴出口１２ｄ，１２ｄが前方側へ折れ曲がって湾曲状に形成され、この一対の噴出口１２ｄ，１２ｄの下方に、樋状に流出ガイド部１２ｆ，１２ｆがそれぞれ形成されたものであり、左右一対の流出ガイド部１２ｆ，１２ｆ間には、頭を置くことのできる枕３２を水平状に設けることができるものである。
【００２８】
なお、図２３の小容器１１は、図２４に平面図で、また図２５及び図２６に縦断面図を示すような構造となっている。
即ち、底側には噴気部１６と排水口１２ａが設けられており、底側から上方に向かって、擂り鉢状の擂り鉢面１２ｇが形成されている。
このような擂り鉢状の擂り鉢面１２ｇとしておけば、噴気部１６からのエアーの噴出で発生された泡が、上方の噴出口１２ｄ，１２ｄから良好に漏れ出して流出されるものとなり、良質な泡を生成させることができるものとなる。
【００２９】
更に図２７で示す小容器は、更なる変形例を示すものであり、図２７の小容器では、上面に開閉可能な蓋１３が設けられており、蓋１３の前面には直角状に前垂部１３ｂが形成されている。
図２８は、蓋１３を開けた状態の縦断面構成図であり、図２９は、蓋を閉じた状態の縦断面構成図である。
蓋１３を閉じた状態では、噴出口１２ｄが前垂部１３ｂにより隠蔽されるため、すっきりとした外観形状となり、良質な泡が噴出口１２ｄから漏れ出して、流出ガイド部１２ｆを通って浴槽に流入されるものである。
【００３０】
なお、図３０は、蓋１３を取り外した状態の小容器の正面構成図である。
左右の噴出口１２ｄ，１２ｄ間の中央部には、縦方向にスリット孔１２ｈが貫通形成されており、小容器１１内にお湯を入れた時に、お湯の量が多い時には、このスリット孔１２ｈから湯が漏れ出して、小容器１１内には適量の湯が溜められることとなり、適量な湯により良好に泡を生成させることができるものとなる。
なお、図３１に示すように、小容器１１の底側にゴム脚３３を設けておけば、浴槽２を傷付けることなく、良好に小容器１１を置くことができ、更には、小容器１１の裏面に吸盤３４を設けておけば、壁パネル２０に良好に固定できるものとなる。
【００３１】
次に、図３２は、別例を示す浴室の概略構成図である。
図３２では、浴室１の天井裏に、電源Ｅに接続されたエアーポンプ６が設けられており、浴室内の洗い場の壁面には、壁取付部材３５が設置されており、この壁取付部材３５には、ボディシャンプー３６等を掛止させることができ、また小容器１１を取り付けることができるように構成されている。
図３３は、壁取付部材３５に小容器１１を取り付けた斜視構成図であり、図３４は、分解した状態の縦断面構成図である。
即ち、壁取付部材３５には、切り欠き状に複数のボトルホルダー部３５ａ，３５ａが形成されており、この各ボトルホルダー部３５ａに、ボディシャンプー３６等を掛止させることができるものである。
【００３２】
また、壁取付部材３５には、入・切スイッチ１０が設けられており、この入・切スイッチを操作して、エアーポンプ６を作動させることができるものである。
即ち、エアーポンプ６と入・切スイッチ１０は、信号線９で接続されている。
また、エアーポンプ６に接続されたエアー流路７を構成する配管が、壁パネル２０の裏側を通って壁取付部材３５の下部に配管され、その下端側がエアー接続部８を構成しており、エアー接続部８の外周にはパッキン８ｂが設けられている。
小容器１１は、壁取付部材３５に設けられた容器クランク部３７を介して、壁取付部材３５に着脱できるものである。
【００３３】
小容器１１は、図３５に斜視図で示すように、覆蓋された上面に、吸気口１４と洗剤投入口１２ｉが開口され、この洗剤投入口１２ｉには、蓋１３をねじ込んで取り付けできるように構成されている。
上面の吸気口１４から、小容器１１の内部に、エアー流路を構成するホース１５が垂設されており、エアー流路１５の先端に噴気部１６が設けられている。
また、小容器１１の前面上部部位には、前方側へ突出して噴出口１２ｄが形成されている。
このような小容器１１を、容器クランク部３７を介して壁取付部材３５に取り付け固定した時には、吸気口１４がエアー接続部８に接続された状態となり、エアーポンプ６が作動されることにより、エアーが小容器１１内に導かれて、噴気部１６からエアーが噴出されることとなる。
【００３４】
小容器１１の内部に、適量の湯と洗剤３８を入れておくことで、小容器１１内で良好に泡が発生され、発生された泡は噴出口１２ｄからキメの細かい泡となって外部に噴出されるものであり、このキメの細かい泡を使って洗い場３で洗顔等を良好に行うことができるものとなる。
本例においても、小容器１１は取り外し可能であり、電気部材を含んでいないために、簡単に取り外して清掃することができ、詰まりのない状態に清潔に維持しておくことができるものである。
【図面の簡単な説明】
【００３５】
【図１】泡発生用の小容器を配置した浴室の概略構成図である。
【図２】小容器の蓋を閉じた状態の拡大斜視構成図である。
【図３】小容器の縦断面構成図である。
【図４】浴室内のカウンターの斜視構成図である。
【図５】カウンターに小容器を設置した状態の正面側から見た縦断面構成図である。
【図６】エアー接続部周辺の拡大斜視構成図である。
【図７】カウンターに小容器を取り付けて泡を発生させている状態の斜視構成図である。
【図８】浴室内のカウンター及び浴槽に小容器を設置して使用している状態の斜視構成図である。
【図９】小容器の変形例を示す側面縦断面構成図である。
【図１０】噴出口を備えた小容器をカウンターに設置した状態の斜視構成図である。
【図１１】蓋をカウンター側に設けた場合の分解斜視構成図である。
【図１２】発生させた泡を浴槽内に入れている状態の断面構成図である。
【図１３】浴槽に設けたエアー接続部に小容器を設置した状態の斜視構成図である。
【図１４】底側に気泡発生部と上面にエアー接続部を設けた浴槽の斜視構成図である。
【図１５】小容器から浴槽内に泡を流し込んでいる状態の浴槽の縦断面構成図である。
【図１６】上面側に泡を入れて入浴している状態図である。
【図１７】別例の小容器を設けた浴槽の斜視構成図である。
【図１８】浴槽の底側の気泡発生部と上面の突出管部へのエアーの切替バルブを設けた浴槽の縦断面構成図である。
【図１９】切替ハンドル部を備えたエアー接続部と吸気口の分解斜視図である。
【図２０】小容器から泡を流出させて入浴している状態の斜視構成図である。
【図２１】吸気口を引き出した状態の小容器の底面図である。
【図２２】吸気口及びホースを内部に収納した状態の小容器の底面図である。
【図２３】小容器の更に異なる変形例を示す斜視構成図である。
【図２４】図２３の小容器の平面構成図である。
【図２５】図２３の小容器の縦断面構成図である。
【図２６】図２３の小容器の縦断面構成図である。
【図２７】更に蓋を設けた小容器の変形例を示す斜視構成図である。
【図２８】図２７の小容器の蓋を開けた状態の縦断面構成図である。
【図２９】図２７の小容器の蓋を閉じた状態の縦断面構成図である。
【図３０】図２７の小容器の蓋を取り外した状態の正面構成図である。
【図３１】ゴム脚と吸盤を設けた小容器の取付状態の側面構成図である。
【図３２】浴室の別例を示す概略構成図である。
【図３３】浴室内に設置された壁取付部材に小容器を取り付けた状態の斜視構成図である。
【図３４】小容器と壁取付部材の分解縦断面構成図である。
【図３５】小容器の斜視構成図である。
【符号の説明】
【００３６】
１  浴室
２  浴槽
３  洗い場
４  カウンター
４ａ  前板
４ｂ  切欠部
４ｃ  段部
６  エアーポンプ
７  エアー流路
７ａ  カウンター側流路
７ｂ  浴槽側流路
８  エアー接続部
８ａ  突出管部
８ｂ  パッキン
８ｃ  切替ハンドル部
９  信号線
１０  スイッチ
１１  小容器
１２  容器本体
１２ａ  排水口
１２ｂ  水抜孔
１２ｃ  鍔部
１２ｄ  噴出口
１２ｅ  ホース出し口
１２ｆ  流出ガイド部
１２ｇ  擂り鉢面
１２ｈ  スリット孔
１２ｉ  洗剤投入口
１３  蓋
１３ａ  手掛け孔
１３ｂ  前垂部
１４  吸気口
１５  エアー流路
１６  噴気部
１７  排水栓
１８  ヒンジ
１９  パッキン
２０  壁パネル
２５  気泡発生部
２６  気泡配管
２６ａ  分岐部
２７  水中照明発光部
２８  湯
２９  泡
３１  切替バルブ
３３  ゴム脚
３４  吸盤
３５  壁取付部材
３５ａ  ボトルホルダー部
３６  ボディシャンプー
３７  容器クランク部
【図１】
2005168849.tif 000003
【図２】
2005168849.tif 000004
【図３】
2005168849.tif 000005
【図４】
2005168849.tif 000006
【図５】
2005168849.tif 000007
【図６】
2005168849.tif 000008
【図７】
2005168849.tif 000009
【図８】
2005168849.tif 000010
【図９】
2005168849.tif 000011
【図１０】
2005168849.tif 000012
【図１１】
2005168849.tif 000013
【図１２】
2005168849.tif 000014
【図１３】
2005168849.tif 000015
【図１４】
2005168849.tif 000016
【図１５】
2005168849.tif 000017
【図１６】
2005168849.tif 000018
【図１７】
2005168849.tif 000019
【図１８】
2005168849.tif 000020
【図１９】
2005168849.tif 000021
【図２０】
2005168849.tif 000022
【図２１】
2005168849.tif 000023
【図２２】
2005168849.tif 000024
【図２３】
2005168849.tif 000025
【図２４】
2005168849.tif 000026
【図２５】
2005168849.tif 000027
【図２６】
2005168849.tif 000028
【図２７】
2005168849.tif 000029
【図２８】
2005168849.tif 000030
【図２９】
2005168849.tif 000031
【図３０】
2005168849.tif 000032
【図３１】
2005168849.tif 000033
【図３２】
2005168849.tif 000034
【図３３】
2005168849.tif 000035
【図３４】
2005168849.tif 000036
【図３５】
2005168849.tif 000037